(57)【要約】      （修正有）【課題】両シェルの開閉に伴う土砂等の内容物の拡散を防止することができるグラブバケットの提供。【解決手段】グラブバケット１は、一対のシェル４，４と、両シェルを回動可能に支持する下部ブロック６と、各シェル４，４の側方に配置され、シェル開放時にシェル側板部４ｂ，４ｂ間に跨って配置される拡散防止手段１１とを備え、拡散防止手段１１でシェル側板部４ｂの内外側を隔て、シェル開閉に伴う土砂の拡散を防止する。【選択図】図１
2019006514.tif 000002
【特許請求の範囲】
【請求項１】
シェル底板部の両側にシェル側板部を有する一対のシェルと、該両シェルを回動可能に支持する下部ブロックとを備え、
前記両シェルは、前記シェル底板部の先端縁及び前記両シェル側板部の先端縁からなる開口部が互いに当接することにより閉じられ、前記シェル底板部の先端縁及び前記両シェル側板部の先端縁が互いに離反する方向に回動することにより開放されるグラブバケットにおいて、
前記各シェルの側方に配置され、シェル開放時に前記シェル側板部間に跨って配置される拡散防止手段を備えていることを特徴とするグラブバケット。
【請求項２】
前記拡散防止手段は、前記下部ブロックに吊り持ちされた拡散防止板を備え、前記シェルの開閉動作と連動して前記拡散防止板が水底部に挿抜されるようにしている請求項１に記載のグラブバケット。
【請求項３】
前記拡散防止手段は、前記シェル側板部に固定された基端部より前記シェルの回動方向相手シェル側に延出したプレートを備えている請求項１又は２に記載のグラブバケット。
【請求項４】
一方の前記シェルのシェル側板部内面に固定された内側プレートと、他方の前記シェルのシェル側板部外面に固定された外側プレートとを備え、前記両シェルが閉じられた際、前記内側プレート及び前記外側プレートが相手方の前記シェル側板部の内外にそれぞれ重なり合うようにした請求項３に記載のグラブバケット。
【発明の詳細な説明】
【技術分野】
【０００１】
本発明は、主に浚渫作業等に使用されるグラブバケットに関する。
【背景技術】
【０００２】
従来、水底に堆積した土砂の浚渫には、グラブバケットが広く用いられている。
【０００３】
グラブバケットは、クレーン等の昇降装置に吊り持ちされた上部ブロックと、上部ブロック下に配置された下部ブロックと、下部ブロックに回動可能に支持された一対のシェルと、上端が上部ブロックに回転可能に支持され、下端がシェルに回転可能に連結された一対のアームとを備え、上部ブロックに対する相対的な下部ブロックの昇降に連動して両シェルが開閉、即ち、下部ブロックが下降することにより両シェルがグラブ開放方向に回動し、上昇することにより両シェルがグラブ閉鎖方向に回動するようになっている。
【０００４】
そして、グラブバケットによる浚渫作業は、両シェルを開放した状態でグラブバケットを水底部まで下降させ、両シェルの刃先を水底部に食い込ませた状態から、両シェルを閉じることで両シェル内に水底土砂を取り込み、土砂を掴み取るようになっている。
【先行技術文献】
【特許文献】
【０００５】
【特許文献１】特開２０１０−１５９５４５号公報
【発明の概要】
【発明が解決しようとする課題】
【０００６】
しかしながら、上述の如き従来の技術では、水底部に刃先を食いこませた状態から両シェルを閉鎖する際、閉じようとする両シェルによって水底土砂がシェル回動方向中央側に掻き集められ、その圧力によって両シェル間から土砂が水平方向に押し出され、汚濁が拡散するおそれがあった。
【０００７】
また、その際、掘削位置が既掘削位置と隣接している場合には、水平方向に押された土砂が既掘削箇所に押し出され、既掘削箇所が埋め戻されるおそれがあった。
【０００８】
更に、掴み取った土砂を一旦どこかに仮置きする場合、両シェルを開放方向に回動させ、グラブを開放する際、両シェルの間から土砂等の内容物が水平方向に拡散するおそれがあった。
【０００９】
そこで、本発明は、このような従来の問題に鑑み、両シェルの開閉に伴う土砂等の内容物の拡散を防止することができるグラブバケットの提供を目的としてなされたものである。
【課題を解決するための手段】
【００１０】
上述の如き従来の問題を解決するための請求項1に記載の発明の特徴はシェル底板部の両側にシェル側板部を有する一対のシェルと、該両シェルを回動可能に支持する下部ブロックとを備え、前記両シェルは、前記シェル底板部の先端縁及び前記両シェル側板部の先端縁からなる開口部が互いに当接することにより閉じられ、前記シェル底板部の先端縁及び前記両シェル側板部の先端縁が互いに離反する方向に回動することにより開放されるグラブバケットにおいて、前記各シェルの側方に配置され、シェル開放時に前記シェル側板部間に跨って配置される拡散防止手段を備えていることにある。
【００１１】
請求項２に記載の発明の特徴は、請求項１の構成に加え、前記拡散防止手段は、前記下部ブロックに連結された拡散防止板を備え、前記シェルの開閉動作と連動して前記拡散防止板が水底部に挿抜されるようにしていることにある。
【００１２】
請求項３に記載の発明の特徴は、請求項１又は２の構成に加え、前記拡散防止手段は、前記シェル側板部に固定された基端部より前記シェルの回動方向相手シェル側に延出したプレートを備えていることにある。
【００１３】
請求項４に記載の発明の特徴は、請求項３の構成に加え、一方の前記シェルのシェル側板部内面に固定された内側プレートと、他方の前記シェルのシェル側板部外面に固定された外側プレートとを備え、前記両シェルが閉じられた際、前記内側プレート及び前記外側プレートが相手方の前記シェル側板部の内外にそれぞれ重なり合うようにしたことにある。
【発明の効果】
【００１４】
本発明に係る浚渫方法は、請求項１に記載の構成を具備することによって、シェルの開閉動作に伴う土砂の拡散を防止することができる。
【００１５】
また、本発明において、請求項２に記載の構成を具備することによって、拡散防止板が土砂に差し込まれ、シェルの側部を内外側で隔離できるようになっている。
【００１６】
更に、本発明において、請求項３及び４に記載の構成を具備することによって、シェル閉鎖時においては、プレートがシェルと干渉せずに好適に収納され、シェルの回動動作に連動してプレートが展開され、シェルの側部を内外側で隔離できるようになっている。
【図面の簡単な説明】
【００１７】
【図１】本発明に係るグラブバケットの一例を示す正面図である。
【図２】同上の側面図である。
【図３】同上のグラブバケットの開放時の状態を示す正面図である。
【図４】同上のグラブバケットの開放時の状態を示す側面図である。
【図５】本発明に係るグラブバケットの他の一例を示す正面図である。
【図６】同上のグラブバケットの開放時の状態を示す正面図である。
【図７】本発明に係るグラブバケットのさらに他の一例を示す正面図である。
【図８】同上のグラブバケットの開放時の状態を示す正面図である。
【発明を実施するための形態】
【００１８】
次に、本発明に係るグラブバケットの第１の実施態様を図１〜図４に示した実施例に基づいて説明する。
【００１９】
グラブバケット１は、図１、図２に示すように、吊りワイヤ２，２に支持された支持体３と、支持体３に回動可能に支持された一対のシェル４，４と、シェル４，４を開閉方向に動作させるグラブ開閉機構とを備え、両シェル４，４が開閉可能なグラブを形成している。
【００２０】
支持体３は、吊りワイヤ２，２に支持された上部ブロック５と、上部ブロック５下に配置された下部ブロック６と、上端が上部ブロック５に回動可能に支持され、下端がシェル４，４の側面部に回動可能に連結されたアーム７，７とを備え、各シェル４，４の上端が下部ブロック６に支軸８を介して回動可能に支持されるとともに、側部がアーム７，７を介して上部ブロック５に連結されている。
【００２１】
上部ブロック５は、吊りワイヤ２，２を介してバケット移動手段であるクレーン９に吊り持ちされ、クレーン９によってグラブバケット１全体が上下方向及び水平方向に移動できるようになっている。
【００２２】
下部ブロック６は、操作ワイヤ１０の繰り出し・巻取り動作によって上部ブロック５に対して相対的に昇降するようになっている。
【００２３】
そして、各シェル４，４は、上部ブロック５に対する相対的な下部ブロック６の昇降に連動して開閉動作、即ち、下降することにより両シェル４，４がグラブ開放方向に回動し、上昇することにより両シェル４，４がグラブ閉鎖方向に回動するようになっている。
【００２４】
各シェル４，４は、円弧状のシェル底板部４ａと、シェル底板部４ａの両側縁に連結された前後のシェル側板部４ｂ，４ｂとを備え、シェル側板部４ｂ，４ｂの上端が下部ブロック６に支軸８を介して回動可能に支持され、両シェル４，４が閉じられた状態、即ち、グラブが掴み状態にある場合には、シェル底板部４ａ下縁の刃先部及び両シェル側板部４ｂ，４ｂの相手側縁部が互いに密着し、グラブが閉鎖されるようになっている。
【００２５】
また、このグラブバケット１は、シェル開閉時の土砂拡散を防止する拡散防止手段を備えている。
【００２６】
拡散防止手段は、例えば、シェル側板部４ｂの外側に配置された拡散防止板１１を備え、拡散防止板１１が連結部材１２，１２を介して下部ブロック６に連結されている。
【００２７】
拡散防止板１１は、幅方向を上下に向けた鋼板等の剛性を有する板材によって構成され、グラブバケット１の下降に伴い、水底地盤１３に差し込まれるようになっている。
【００２８】
連結部材１２，１２は、その上端が下部ブロック６に固定され、下端側が拡散防止板１１の外面に固着されている。
【００２９】
尚、連結部材１２，１２には、上下方向の衝撃を吸収する緩衝手段を備えていてもよい。その場合、拡散防止板１１が水底地盤１３から受ける抵抗の緩和が期待できる。
【００３０】
緩衝手段は、特に図示しないが、例えば、連結部材１２の上端部に長孔を設け、この長孔に通したボルト等の固定具によって連結部材１２の上端部を下部ブロック６にスライド可能に定着させてもよく、連結部材１２自体が伸縮可能な構造を有しているものであってもよい。
【００３１】
このように構成されたグラブバケット１は、両シェル４，４を開放した状態で水底地盤１３に向けて下降させると、図３、図４に示すように、シェル４，４の外側に配置された両拡散防止板１１が水底地盤１３に差し込まれ、両シェル４，４の側部の内外側に位置する土砂が拡散防止板１１によって隔てられる。
【００３２】
両シェル４，４を閉鎖方向に回動させた場合、水底の土砂は、閉じようとする両シェル４，４によってシェル回動方向中央側に掻き集められ、その圧力によって両シェル４，４間から水平方向に押し出されようとする。
【００３３】
しかしながら、両シェル４，４の側部の内外側に位置する土砂が拡散防止板１１によって隔てられているので、内側に位置する土砂は、拡散防止板１１によって堰き止められ、拡散することなく両シェル４，４内に取り込まれる。
【００３４】
また、このグラブバケット１では、掴み取った土砂を一旦どこかに仮置きするような場合も、両シェル４，４を開放方向に回動させ、グラブを開放した際、両シェル４，４間から水平方向に拡散しようとする土砂が拡散防止板１１によって堰き止められ、土砂の拡散を防止できる。
【００３５】
尚、拡散防止手段の態様は、上述の実施例に限定されず、例えば、図５、図６に示すように、シェル側板部４ｂ、４ｂに固定されたプレート２０，２１を備えているものであってもよい。尚、上述の実施例と同様の構成には同一符号を付して説明を省略する。
【００３６】
プレートには、一方のシェル４のシェル側板部４ｂ内側に固定された内側プレート２０と、他方のシェル４のシェル側板部４ｂ外側に固定された外側プレート２１とを備え、両シェル４，４が閉じられた際、内側プレート２０及び外側プレート２１が相手方のシェル側板部４ｂの内外にそれぞれ重なり合うようにし、シェル４，４が開放された際には、シェル４，４の前後側に展開されるようになっている。
【００３７】
内側プレート２０は、鋼板等の剛性を有する板材で構成され、シェル側板部４ｂの開口側縁に固定される基端部２０ａと、基端部２０ａよりシェル回動方向相手シェル側に延出した拡散防止部２０ｂとを一体に備えている。
【００３８】
基端部２０ａは、図に詳述しないが、シェル側板部４ｂの内側にボルト止めや溶接等によって強固に固定されている。
【００３９】
拡散防止部２０ｂは、シェル側板部４ｂと整合させた形状に形成され、両シェル４，４を閉じた際に相手方シェル４の内側に収容されるようになっている。
【００４０】
外側プレート２１は、鋼板等の剛性を有する板材で構成され、シェル側板部４ｂの開口側縁に固定される基端部２１ａと、基端部２１ａよりシェル回動方向相手シェル側に延出した拡散防止部２１ｂとを一体に備えている。
【００４１】
基端部２１ａは、図に詳述しないが、シェル側板部４ｂの外側開口側縁にボルト止めや溶接等によって強固に固定されている。
【００４２】
拡散防止部２１ｂは、基端部２１ａに端部側縁が一体に支持され、シェル回動方向相手シェル側に延出した帯板状に形成されている。
【００４３】
外側プレート２１は、グラブを閉じた状態の場合、図５に示すように、シェル側板部４ｂの外側に重ねられ、相手方シェル４と干渉しないようになっている。
【００４４】
そして、グラブが開いた状態では、図６に示すように、内側プレート２０及び外側プレート２１がシェル４，４の回動とともにシェル４，４の側方下部に展開され、両シェル４，４のシェル側板部４ｂ，４ｂ間に跨って配置される。
【００４５】
尚、上述の実施例の他、図７，８に示すように、各シェル４，４のシェル側板部４ｂに固定されたプレート３０，３０と、下部ブロック６に連結された拡散防止板３１とを併用したものであってもよい。尚、上述の実施例と同様の構成には同一符号を付して説明を省略する。
【００４６】
また、上述の実施例では、本発明に係るグラブバケットを浚渫作業に適用した例について説明したが、本発明に係るグラブバケットは、その使用態様が浚渫作業に限定されず、例えば、バラ物の輸送に適用してもよい。
【００４７】
さらに、上述の実施例では、拡散防止手段をシェルの両側方に配置した例について説明したが、片側の側方のみに配置してもよい。
【符号の説明】
【００４８】
１  グラブバケット
２  吊りワイヤ
３  支持体
４  シェル
５  上部ブロック
６  下部ブロック
７  アーム
８  支軸
９  クレーン
１０  操作ワイヤ
１１  拡散防止板
１２  連結部材
１３  水底部
１４  グラブ浚渫船
１５ａ，１５ｂ  土砂
１６  土運船
２０  内側プレート
２１  外側プレート
３０  プレート
３１  拡散防止板
【図１】
2019006514.tif 000003
【図２】
2019006514.tif 000004
【図３】
2019006514.tif 000005
【図４】
2019006514.tif 000006
【図５】
2019006514.tif 000007
【図６】
2019006514.tif 000008
【図７】
2019006514.tif 000009
【図８】
2019006514.tif 000010